(57)【要約】【課題】防水性の低下を確実に防止することが可能な照明モジュールおよび照明装置を提供する。【解決手段】発光素子３３が実装されている基板部材３０と、レンズ本体７１を有し、発光素子３３が収納される収納空間８１およびフランジ部９０を備える光学レンズ部材７０と、光学レンズ部材７０との間で基板部材３０を挟み込む蓋部材２０と、発光素子３３に電力を供給するケーブル６０とを有し、フランジ部９０には、ケーブル６０が横切る状態で配置される少なくとも１つの凹状の横溝部１００，１０１，１０４が設けられ、横溝部１００，１０１，１０４と収納空間８１との間には隔壁部９７，１０２，１０５が設けられ、隔壁部９７，１０２，１０５にはケーブル６０を挿通させる挿通溝９８，１０３，１０６が設けられると共に、横溝部１００，１０１，１０４および挿通溝９８，１０３，１０６には充填材Ｒ１が充填される。【選択図】図１
2019121497.tif 000002
【特許請求の範囲】
【請求項１】
光を出射する発光素子が実装されている基板部材と、
レンズ本体を有し、前記発光素子が収納される収納空間を備えると共に、前記収納空間を周方向の全周に亘って囲むフランジ部を備える光学レンズ部材と、
前記光学レンズ部材との間で前記基板部材を挟み込む蓋部材と、
前記基板部材に電気的に接続されて前記発光素子に電力を供給するケーブルと、
を有し、
前記フランジ部には、前記ケーブルの延伸方向に交差すると共に該ケーブルが横切る状態で配置される少なくとも１つの凹状の横溝部が設けられ、
前記横溝部と前記収納空間との間には隔壁部が設けられ、該隔壁部には前記ケーブルを挿通させる挿通溝が設けられると共に、
前記横溝部および前記挿通溝には充填材が充填されると共に、前記横溝部では前記充填材が前記ケーブルの全周に亘って配置されている、
ことを特徴とする照明モジュール。
【請求項２】
請求項１記載の照明モジュールであって、
前記フランジ部には外壁部が設けられていて、この外壁部は前記フランジ部と外部とを隔て、かつ前記ケーブルを外部から挿通させる外壁挿通溝を有していて、
前記隔壁部には、前記横溝部に対応する第１横溝部を挟んで前記外壁部と対向しかつ前記第１横溝部と連通すると共に前記挿通溝に対応する第１挿通溝を有する第１隔壁部が設けられていて、
前記第１挿通溝は、前記外壁挿通溝と共に直線状の前記ケーブルの延伸方向に沿って設けられている、
ことを特徴とする照明モジュール。
【請求項３】
請求項２記載の照明モジュールであって、
前記蓋部材は、平板状に設けられている平板部と、該平板部の表面から突出する突出部とを有すると共に、
前記突出部には前記ケーブルを挿通させる凹溝部が設けられていると共に、前記凹溝部は前記外壁挿通溝および前記第１挿通溝と共に直線状の前記ケーブルの延伸方向に沿って設けられていて、
前記突出部は前記凹溝部に前記ケーブルが入り込んだ状態で前記第１横溝部に挿入され、該凹溝部は前記充填材が入り込む、
ことを特徴とする照明モジュール。
【請求項４】
請求項３記載の照明モジュールであって、
前記フランジ部には、前記収納空間と内周隔壁を隔てて凹形状であると共に前記収納空間を環状に囲むリング溝が設けられていて、
前記内周隔壁には、前記ケーブルを挿通させると共に前記収納空間と連通する内周挿通溝が設けられていて、
前記内周挿通溝は、前記外壁挿通溝、前記凹溝部および前記第１挿通溝と共に直線状の前記ケーブルの延伸方向に沿って設けられていて、
前記リング溝および前記内周挿通溝には、前記充填材が充填される、
ことを特徴とする照明モジュール。
【請求項５】
請求項４記載の照明モジュールであって、
前記外壁部および前記第１隔壁部は、前記内周隔壁よりも突出して設けられている、
ことを特徴とする照明モジュール。
【請求項６】
請求項４または５記載の照明モジュールであって、
前記第１横溝部と前記リング溝の間には、前記ケーブルの延伸方向に交差すると共に該ケーブルが横切る状態で配置される凹状の第２横溝部が設けられ、
前記第２横溝部と前記リング溝との間には前記隔壁部に対応する第２隔壁部が設けられ、該第２隔壁部には前記ケーブルを挿通させる第２挿通溝が設けられると共に、
前記第２挿通溝は、前記外壁挿通溝、前記凹溝部、前記第１挿通溝および前記内周挿通溝と共に直線状の前記ケーブルの延伸方向に沿って設けられていて、
前記第２横溝部および前記第２挿通溝には前記充填材が充填される、
ことを特徴とする照明モジュール。
【請求項７】
請求項６記載の照明モジュールであって、
前記第２横溝部には、その両端側に向かうにつれて深さが徐々に浅くなる傾斜部が設けられている、
ことを特徴とする照明モジュール。
【請求項８】
請求項６または７記載の照明モジュールであって、
前記第１挿通溝および前記第２挿通溝の最大深さは、前記第１横溝部および前記第２横溝部の最大深さよりも浅く設けられている、
ことを特徴とする照明モジュール。
【請求項９】
請求項１から５のいずれか１項に記載の照明モジュールであって、
前記基板部材の外周縁部には、弾性を有する樹脂を材質とする封止部材が取り付けられていて、前記封止部材の厚みは前記基板部材の厚みよりも厚く設けられている、
ことを特徴とする照明モジュール。
【請求項１０】
請求項９記載の照明モジュールであって、
前記基板部材のうち前記封止部材の内周側かつ前記リング溝の外周側に対応する部位には、該基板部材を貫く基板貫通孔が設けられていて、
前記光学レンズ部材と前記蓋部材とは、これらを貫く締結手段によって締結されると共に、該締結手段は前記基板挿通孔に挿通されている、
ことを特徴とする照明モジュール。
【請求項１１】
請求項１から１０のいずれか１項に記載の照明モジュールを複数備える、
ことを特徴とする照明装置。
【発明の詳細な説明】
【技術分野】
【０００１】
本発明は、照明モジュールおよび照明装置に関する。
【背景技術】
【０００２】
照明モジュールの中には、たとえば特許文献１や特許文献２に示すように、屋外で使用するためのものがある。特許文献１には、シーリング材をシーリング材収容溝内に注入することにより、光束制御部材及び基板と、ハーネスとの隙間がシーリング材で封止され、発光装置の内部に雨水や塵等が侵入するのを防止する構成について開示されている。
【０００３】
また、特許文献２には、ハウジングと基板の間に存在する内部空間に、液状のエポキシ樹脂やシリコン樹脂などの防水部材を充填して硬化させたり、予め軟質樹脂にて形成した防水部材を、ハウジングと基板の間に存在する内部空間に位置させることで、空気中に含まれた湿気や水分による漏電を防止する構成について開示されている。
【先行技術文献】
【特許文献】
【０００４】
【特許文献１】特許第５２７９１３３号公報
【特許文献２】特許第５５６３６４５号公報
【発明の概要】
【発明が解決しようとする課題】
【０００５】
ところで、上述の特許文献１に開示の構成では、シーリング材収容溝には十分な量のシリコン樹脂等のシーリング材が充填されるものの、ハーネス（ケーブル）を挿通させる引き出し溝やハーネス（ケーブル）の径方向でのシーリング材の充填量は十分ではない。したがって、ハーネス（ケーブル）が外力によって長期に亘り変形を繰り返す場合には、シーリング材が他の部材（基板、光制御部材、ハーネス等）に対して剥離し、防水性が低下する、という問題がある。
【０００６】
また、特許文献２に開示の構成では、内部空間をエポキシ樹脂やシリコン樹脂等の防水部材で充填し、さらに防水部材の充填過程における漏れを防止するためにシーリング部材を設ける構成を採用している。しかしながら、特許文献２に開示の構成も、上述した特許文献１に開示の構成と同様に、ワイヤ（ケーブル）の径方向における防水部材の厚みは十分ではないので、ワイヤ（ケーブル）が外力によって長期に亘り変形を繰り返す場合には、防水部材が他の部材（基板、ハウジング、ワイヤ等）に対して剥離し、防水性が低下する、という問題がある。
【０００７】
本発明は、かかる問題に鑑みてなされたものであり、その目的とするところは、防水性の低下を確実に防止することが可能な照明モジュールおよび照明装置を提供しよう、とするものである。
【課題を解決するための手段】
【０００８】
上記課題を解決するために、本発明の第１の観点によると、光を出射する発光素子が実装されている基板部材と、レンズ本体を有し、発光素子が収納される収納空間を備えると共に、収納空間を周方向の全周に亘って囲むフランジ部を備える光学レンズ部材と、光学レンズ部材との間で基板部材を挟み込む蓋部材と、基板部材に電気的に接続されて発光素子に電力を供給するケーブルと、を有し、フランジ部には、ケーブルの延伸方向に交差すると共に該ケーブルが横切る状態で配置される少なくとも１つの凹状の横溝部が設けられ、横溝部と収納空間との間には隔壁部が設けられ、該隔壁部にはケーブルを挿通させる挿通溝が設けられると共に、横溝部および挿通溝には充填材が充填されると共に、横溝部では充填材がケーブルの全周に亘って配置されている、ことを特徴とする照明モジュールが提供されることを特徴としている。
【０００９】
また、本発明の他の側面は、上述の発明に加えて更に、フランジ部には外壁部が設けられていて、この外壁部はフランジ部と外部とを隔て、かつケーブルを外部から挿通させる外壁挿通溝を有していて、隔壁部には、横溝部に対応する第１横溝部を挟んで外壁部と対向しかつ第１横溝部と連通すると共に挿通溝に対応する第１挿通溝を有する第１隔壁部が設けられていて、第１挿通溝は、外壁挿通溝と共に直線状のケーブルの延伸方向に沿って設けられている、ことが好ましい。
【００１０】
また、本発明の他の側面は、上述の発明に加えて更に、蓋部材は、平板状に設けられている平板部と、該平板部の表面から突出する突出部とを有すると共に、突出部にはケーブルを挿通させる凹溝部が設けられていると共に、凹溝部は外壁挿通溝および第１挿通溝と共に直線状のケーブルの延伸方向に沿って設けられていて、突出部は凹溝部にケーブルが入り込んだ状態で第１横溝部に挿入され、該凹溝部は充填材が入り込む、ことが好ましい。
【００１１】
また、本発明の他の側面は、上述の発明に加えて更に、フランジ部には、収納空間と内周隔壁を隔てて凹形状であると共に収納空間を環状に囲むリング溝が設けられていて、内周隔壁には、ケーブルを挿通させると共に収納空間と連通する内周挿通溝が設けられていて、内周挿通溝は、外壁挿通溝、凹溝部および第１挿通溝と共に直線状のケーブルの延伸方向に沿って設けられていて、リング溝および内周挿通溝には、充填材が充填される、ことが好ましい。
【００１２】
また、本発明の他の側面は、上述の発明に加えて更に、外壁部および第１隔壁部は、内周隔壁よりも突出して設けられている、ことが好ましい。
【００１３】
また、本発明の他の側面は、上述の発明に加えて更に、第１横溝部とリング溝の間には、ケーブルの延伸方向に交差すると共に該ケーブルが横切る状態で配置される凹状の第２横溝部が設けられ、第２横溝部とリング溝との間には隔壁部に対応する第２隔壁部が設けられ、該第２隔壁部にはケーブルを挿通させる第２挿通溝が設けられると共に、第２挿通溝は、外壁挿通溝、凹溝部、第１挿通溝および内周挿通溝と共に直線状のケーブルの延伸方向に沿って設けられていて、第２横溝部および第２挿通溝には充填材が充填される、ことが好ましい。
【００１４】
また、本発明の他の側面は、上述の発明に加えて更に、第２横溝部には、その両端側に向かうにつれて深さが徐々に浅くなる傾斜部が設けられている、ことが好ましい。
【００１５】
また、本発明の他の側面は、上述の発明に加えて更に、第１挿通溝および第２挿通溝の最大深さは、第１横溝部および第２横溝部の最大深さよりも浅く設けられている、ことが好ましい。
【００１６】
また、本発明の他の側面は、上述の発明に加えて更に、基板部材の外周縁部には、弾性を有する樹脂を材質とする封止部材が取り付けられていて、封止部材の厚みは基板部材の厚みよりも厚く設けられている、ことが好ましい。
【００１７】
また、本発明の他の側面は、上述の発明に加えて更に、基板部材のうち封止部材の内周側かつリング溝の外周側に対応する部位には、該基板部材を貫く基板貫通孔が設けられていて、光学レンズ部材と蓋部材とは、これらを貫く締結手段によって締結されると共に、該締結手段は基板挿通孔に挿通されている、ことが好ましい。
【００１８】
また、本発明によると、上述の各発明に係る照明モジュールを複数備える照明装置が提供される。
【発明の効果】
【００１９】
本発明によると、防水性の低下を確実に防止することが可能な照明モジュールおよび照明装置を提供することができる。
【図面の簡単な説明】
【００２０】
【図１】本発明の一実施の形態に係る照明モジュールの構成を示す斜視図である。
【図２】図１に示す、照明モジュールの構成を示す分解斜視図である。
【図３】図１に示す照明モジュールの構成を示す側断面図である。
【図４】図１に示す照明モジュールの蓋部材の構成を示す斜視図である。
【図５】図１に示す照明モジュールの基板部材およびケーブルの構成を示す平面図である。
【図６】図１に示す照明モジュールの光学レンズ部材の構成を示す斜視図であり、光学レンズ部材を下面側（Ｚ２側の面側）から見た状態を示す斜視図である。
【図７】図１に示す照明モジュールのうち防水張出部および張出部の幅方向（Ｙ方向）に沿う断面を示す図である。
【図８】図１に示す照明モジュールのうち第２横溝部の幅方向（Ｙ方向）に沿う断面を示す図である。
【図９】図１に示す照明モジュールのうちリング溝の幅方向（Ｙ方向）に沿う断面を示す図である。
【発明を実施するための形態】
【００２１】
以下、本発明の一実施の形態に係る照明モジュール１０について、図面に基づいて説明する。なお、以下の説明においては、必要に応じてＸＹＺ直交座標系を用いて説明することとする。ＸＹＺ直交座標系において、図３における光軸Ｌの延伸方向をＺ方向（上下方向）とし、図３における出射面７６側をＺ１側（上方側）、それとは反対の蓋部材２０側をＺ２側（下方側）とする。また、図１においてケーブル６０が延伸する方向をＸ方向（長手方向）とし、図１における右上側をＸ１側とし、それとは逆の左下側をＸ２側とする。また、上述のＺ方向およびＸ方向に直交する方向をＹ方向（幅方向）とし、図１において右下側をＹ１側とし、それとは逆の左上側をＹ２側とする。
【００２２】
図１は、照明モジュール１０の構成を示す斜視図である。図２は、照明モジュール１０の構成を示す分解斜視図である。図３は、照明モジュール１０の構成を示す側断面図である。図１から図３に示すように、照明モジュール１０は、蓋部材２０と、基板部材３０と、封止部材５０と、ケーブル６０と、光学レンズ部材７０とを主要な構成要素としている。
【００２３】
［蓋部材について］
最初に、蓋部材２０について説明する。図４は、蓋部材２０の構成を示す斜視図である。図４に示すように、蓋部材２０は、たとえば樹脂を材質として形成されているが、金属を材質として形成されていても良い。この蓋部材２０は、平板状の平板部２１を有している。図４に示すように、平板部２１を平面視したときの形状は、隅角部がＲ形状となるような略矩形状に設けられている。
【００２４】
この平板部２１には、一対の張出部２２が設けられている。張出部２２は、平板部２１よりも、長手方向（Ｘ方向）の外側に向かうように張り出している（突出している）部分であり、その幅方向（Ｙ方向）における長さは、平板部２１の幅方向（Ｙ方向）の長さよりも短く設けられている。なお、図４に示す構成では、平板部２１の長手方向（Ｘ方向）に沿いつつ幅方向（Ｙ方向）の中央を通る中心線は、張出部２２の幅方向（Ｙ方向）の中央を通るように設けられている。しかしながら、張出部２２の中央は、上記の中心線からずれた位置に位置しても良い。
【００２５】
この張出部２２と平板部２１とは同一の厚みを有し、さらにこれらの表裏面は、共に同一平面となるように設けられている。ただし、張出部２２の厚みが平板部２１よりも厚くても薄くても良く、張出部２２と平板部２１の表裏面が、共に同一平面とならないように設けても良い。このような張出部２２を設けることにより、平板部２１の面積を低減することが可能となる。しかしながら、平板部２１の面積を比較的広くすることが可能な場合には、張出部２２を設けない構成を採用しても良い。
【００２６】
また、張出部２２からは、図２における上方側（Ｚ１側）に突出するように突出部２３が設けられている。突出部２３は、Ｙ方向に長く、Ｘ方向の厚みの薄いリブ状の部分である。この突出部２３には、その上端面（Ｚ１側の面）から下方側（Ｚ２側）に向かって窪む一対の凹溝部２４が設けられている。凹溝部２４は、側面視したときの形状がたとえばＵ字形状に設けられている。この凹溝部２４は、最も下端部（Ｚ２側の端部）の高さが、平板部２１の上面（Ｚ１側の面）よりも高くなるように設けられている。したがって、凹溝部２４に後述するケーブル６０を挿通させた場合に、該ケーブル６０が平板部２１の上面から離間する状態となる。
【００２７】
また、突出部２３の延伸方向（Ｙ方向）の両端側には、上端側（Ｚ１側）から下方側（Ｚ２側）に向かうようなテーパ部２３ａが設けられている。このテーパ部２３ａの存在により、後述する第１横溝部１００の内部に充填材Ｒ１が良好に充填可能となっている。
【００２８】
なお、凹溝部２４の個数は、一対には限られず、ケーブル６０の本数に応じて適宜変更可能である。
【００２９】
また、図４に示すように、蓋部材２０には、柱状突起部２５が設けられている。柱状突起部２５は、平板部２１の上面の隅角部から、上方側（Ｚ１側）に向かうように突出している部分である。この柱状突起部２５は柱状に設けられている部分であり、光学レンズ部材７０の後述する弧状切欠部９１に位置することで、蓋部材２０と光学レンズ部材７０との位置決めをなす部分である。図４に示す構成では、柱状突起部２５は、矩形状の平板部２１の対角方向に沿うように２つ設けられている。しかしながら、柱状突起部２５の個数は、特に限定されない。なお、蓋部材２０に柱状突起部２５を設けない構成を採用しても良い。なお、柱状突起部２５には、照明モジュール１０を外部の被取付け部に取り付けるためのネジ孔２５ａが形成されている。ネジ孔２５ａは、柱状突起部２５をＺ方向に貫通する。ネジ孔２５ａにはネジを通し、ネジを被取付け部に螺合させることで、照明モジュール１０を被取付け部に取り付けることができる。
【００３０】
また、蓋部材２０には、平板部２１の厚み方向（Ｚ方向）を貫通するように、蓋貫通孔２６が設けられている。蓋貫通孔２６は、図２に示すネジ１２０（締結手段に対応）を挿通させるための孔である。なお、図２および図４に示す構成では、蓋貫通孔２６は、矩形状の平板部２１において、柱状突起部２５とは異なる対角方向に沿うように一対設けられている。また、蓋貫通孔２６は、基板部材３０に存在する基板貫通孔３４と連通する位置に設けられている。
【００３１】
［基板部材、ケーブルおよび封止部材について］
次に、基板部材３０および封止部材５０について説明する。図５は、基板部材３０およびケーブル６０の構成を示す平面図である。図２に示すように、基板部材３０は、回路基板３１と、放熱板４０とが一体化された構成となっている。回路基板３１は、たとえば樹脂製の平板状の部材であり、図示を省略する回路パターンが形成されている。図２および図５に示すように、回路基板３１は、概ね矩形状に設けられているが、その回路基板３１の１つの対角方向には、弧状切欠部３２が設けられている。この弧状切欠部３２は、上述した柱状突起部２５が位置する部分であり、その柱状突起部２５に対応した円弧形状に切り欠かれている。したがって、弧状切欠部３２に柱状突起部２５が位置することで、蓋部材２０と基板部材３０との間の位置決めがなされる構成となっている。
【００３２】
また、基板部材３０には、その基板部材３０の厚み方向（Ｚ方向）を貫通するように、基板貫通孔３４が設けられている。基板貫通孔３４は、図２および図５に示すように、ネジ１２０を挿通させるための孔である。この基板貫通孔３４は、矩形状の基板部材３０において、弧状切欠部３２とは異なる対角方向に沿うように一対設けられている。加えて、基板貫通孔３４は、上述した蓋貫通孔２６と連通する位置に設けられている。
【００３３】
また、基板部材３０には、位置決め孔３５も設けられている。位置決め孔３５は、後述する位置決めボス９２ａが挿し込まれる孔である。なお、位置決め孔３５は、基板部材３０を貫通していなくても良い。
【００３４】
図２および図５に示すように、回路基板３１の中央部には、ＬＥＤ（Light Emitting Diode）素子３３が実装されていて、光を光学レンズ部材７０に向けて出射可能としている。この回路基板３１には、ケーブル６０の端末部６１がたとえば半田付けやその他の手法（たとえば溶接等）といった手法にて、回路パターンの実装部位３１ａに対して電気的に接続されている。それにより、ケーブル６０からＬＥＤ素子３３に電力を供給し、該ＬＥＤ素子３３を発光させることを可能としている。なお、ＬＥＤ素子３３は、発光素子に対応する。
【００３５】
また、回路基板３１の下面側（Ｚ２側の面側）には、放熱板４０が取り付けられている。放熱板４０は、回路基板３１において発生した熱を外部に逃がす部分である。この放熱板４０にも、柱状突起部２５が位置する弧状切欠部４１が設けられているが、その形状は、弧状切欠部３２と同様となっている。なお、回路基板３１と放熱板４０とは、別々に設けられていても良い。その場合でも、後述する液状の充填材Ｒ１の充填後に、回路基板３１と放熱板４０とを重ねて配置した際に、回路基板３１と放熱板４０とが一体的に固着される状態となる。しかしながら、回路基板３１と放熱板４０とが一体的に固着されない状態であっても良い。
【００３６】
また、基板部材３０の外周縁部には、図２に示すような封止部材５０が取り付けられる。封止部材５０は、途切れのない周状に設けられていると共に、基板部材３０の外周縁部に倣った形状に設けられている。それにより、封止部材５０は、基板部材３０の外周縁部に密着する構成となっている。封止部材５０は、たとえばシリコン樹脂といった弾性を有する樹脂を材質としている。封止部材５０は、上述した蓋部材２０の平板部２１の上面（Ｚ１側の面）と、後述する光学レンズ部材７０のフランジ部９０の下面（Ｚ２側の面）との間に位置する。
【００３７】
なお、封止部材５０の厚みは、蓋部材２０の平板部２１の上面（Ｚ１側の面）と、後述する光学レンズ部材７０のフランジ部９０の下面（Ｚ２側の面）の間の寸法よりも大きく設けられている。したがって、蓋部材２０と封止部材５０をネジ１２０で固定すると、封止部材５０が弾性的に変形する。そのため、封止部材５０の内周側に向かい、その外周側から液体が浸入するのを防止可能となっている。
【００３８】
［光学レンズ部材について］
次に、光学レンズ部材７０について説明する。図６は、光学レンズ部材７０の構成を示す斜視図であり、光学レンズ部材７０を下面側（Ｚ２側の面側）から見た状態を示す斜視図である。図６に示すように、光学レンズ部材７０には、レンズ本体７１と、筒状支持部８０と、フランジ部９０とを有している。この光学レンズ部材７０は、光を透過させることが可能な透明材質（たとえばアクリル樹脂、ポリカーボネート樹脂、またはガラス等）から形成されている。しかしながら、光学レンズ部材７０の全体を透明材質から形成せずに、光学レンズ部材７０のレンズ本体７１のみを透明材質から形成するようにしても良い。
【００３９】
（レンズ本体について）
レンズ本体７１は、全体として、上方側（Ｚ１側）から下方側（Ｚ２側）に向かうにつれて小径となるような略円錐形状（鐘形状）に設けられている。そして、最も下方側（Ｚ２側）かつ小径の頂部７２には、上述したＬＥＤ素子３３を位置させるための凹部７３が設けられている。凹部７３は、レンズ本体７１の頂部７２から上方側（Ｚ１側）に向かうように窪んでいる。なお、凹部７３の内壁面は、ＬＥＤ素子３３から出射される光を入射させるための入射面７４となっている。そして、入射面７４から入射された光は、レンズ本体７１の内周側面７５により反射され、凸状の出射面７６から外部に向かって出射される。
【００４０】
（筒状支持部について）
また、筒状支持部８０は、外観が円筒状に設けられているレンズ本体７１を支持する部分である。この筒状支持部８０は、その上端側（Ｚ１側）において、レンズ本体７１と一体的に連結されている。
【００４１】
（フランジ部について）
また、筒状支持部８０の下端側（Ｚ２側）には、フランジ部９０が一体的に連結されている。図２および図６に示すように、フランジ部９０は、平面視したときに概ね矩形状に設けられているが、そのフランジ部９０の１つの対角方向には、弧状切欠部９１が設けられている。弧状切欠部９１は、上述した弧状切欠部３２と同様に、柱状突起部２５が位置する部分であり、その柱状突起部２５に対応した円弧形状に切り欠かれている。したがって、弧状切欠部９１に柱状突起部２５が位置することで、蓋部材２０、基板部材３０および光学レンズ部材７０の間の位置決めがなされる構成となっている。
【００４２】
また、フランジ部９０の下面９２からは、位置決めボス９２ａも突出している。この位置決めボス９２ａは、上述した位置決め孔３５に挿し込まれる突起状の部分である。この位置決めボス９２ａが位置決め孔３５に挿し込まれることで、ネジ１２０を後述するネジ穴９２ｂに捻じ込む前の状態でも、回路基板３１の位置決めを行うことができる。また、フランジ部９０の下面９２には、ネジ穴９２ｂも設けられている。ネジ穴９２ｂは、蓋貫通孔２６および基板貫通孔３４を挿通するネジ１２０を捻じ込む雌ネジである。なお、ネジ穴９２ｂは有底のネジ穴である。ネジ穴９２ｂを有底にすることにより、フランジ部９０の上側からの水の侵入を防止することが可能となる。
【００４３】
（周状突出部について）
図６に示すように、フランジ部９０の下面９２（Ｚ２側の面）の周縁部には、弧状切欠部９１および後述する防水張出部９４を除いて、下方側（Ｚ２側）に向かって突出する周縁突出部９３が設けられている。周縁突出部９３は、上述した封止部材５０の位置決めをなす部分であり、またネジ１２０の締め付けにより周縁突出部９３が上述した平板部２１の上面側（Ｚ１側）と突き合わされる部分である。
【００４４】
また、フランジ部９０には、防水張出部９４も設けられている。防水張出部９４は、図２に示すように、上方側（Ｚ１側）およびレンズ本体７１の中心から離れる側に突出する部分であり、その外観は、フランジ部９０の他の部分からボックス状に突出した部分となっている。図２に示す構成では、防水張出部９４は一対設けられていて、それら一対の防水張出部９４を結ぶ線は、レンズ本体７１の中心を通るように設けられている。また、それぞれの防水張出部９４は、フランジ部９０の幅方向（Ｙ方向）に沿う周縁部の概ね中央部分から長手方向（Ｘ方向）に向かって突出している。しかしながら、防水張出部９４は、このような構成には限られず、フランジ部９０の周縁部のいずれの位置からでも、レンズ本体７１の中心から離れる側に向かって、張り出していても良い。
【００４５】
（第１横溝部、第２横溝部、リング溝およびその周辺構成について）
以下、第１横溝部１００、第２横溝部１０１、リング溝１０４およびその周辺構成について説明する。なお、第１横溝部１００、第２横溝部１０１およびリング溝１０４は、横溝部に対応する。また、これら第１横溝部１００、第２横溝部１０１およびリング溝１０４には、たとえばシリコン樹脂といった樹脂を材質とする充填材Ｒ１が充填される。それにより、外部から内筒部８１（収納空間に対応）に向かう液体の侵入が阻止され、防水性が図られる構成となっている。
【００４６】
なお、充填材Ｒ１は、シリコン樹脂には限られず、各種の合成樹脂またはゴム材を用いることが可能である。これら各種の合成樹脂またはゴム材の中でも、液状で第１横溝部１００、第２横溝部１０１およびリング溝１０４に充填可能なものが好ましい。具体的には、シリコン樹脂、フッ素ゴム（フッ素樹脂）、オレフィン系エラストマー、ウレタン系エラストマー、エポキシ樹脂等が挙げられるが、これら以外のものであっても良い。
【００４７】
図６に示すように、防水張出部９４を下方側（Ｚ２側）から見た場合、壁状の外壁部９５と、同じく壁状の第１隔壁部９７（隔壁部に対応）が設けられていて、これら外壁部９５と周縁突出部９３（第１隔壁部９７）を連結する連結壁部９９も設けられている。すなわち、周縁突出部９３、外壁部９５、第１隔壁部９７および連結壁部９９は、後述する外壁挿通溝９６および第１挿通溝９８で隔てられる部位を除いて、一体的に連続するように設けられている。なお、これら周縁突出部９３、外壁部９５および第１隔壁部９７の下方側（Ｚ２側）における高さ位置は、同程度となっている。
【００４８】
これらのうち、外壁部９５と第１隔壁部９７とは、周縁突出部９３と同じく幅方向（Ｙ方向）に延伸するように設けられている。一方、連結壁部９９は、外壁部９５および第１隔壁部９７の延伸方向と直交するＸ方向に延伸するように設けられている。
【００４９】
（第１横溝部およびその周辺構成について）
ここで、外壁部９５と第１隔壁部９７の間には、第１横溝部１００が設けられている。第１横溝部１００は、Ｙ方向を長手とする凹状の溝部分である。本実施の形態では、第１横溝部１００は、直方体状の溝形状となっている。
【００５０】
この第１横溝部１００に連通するように、外壁部９５には、外壁挿通溝９６が設けられている。外壁挿通溝９６は、外壁部９５の下端側（Ｚ２側）から上方側（Ｚ１側）に向かうように窪んだ部分であり、この外壁挿通溝９６にはケーブル６０が挿通される。しかしながら、外壁挿通溝９６の最も上端部（Ｚ１側の端部）は、第１横溝部１００の溝底部１００ａ（Ｚ１側の底面）にまでは到達していないので、溝底部１００ａとケーブル６０との間には、所定の隙間Ｌ１（後述する図７参照）が存在するように設けられている。ただし、このような隙間Ｌ１が存在しない状態としても良い。
【００５１】
なお、隙間Ｌ１を形成することにより、溝底部１００ａとケーブル６０との間に充填剤Ｒ１を充填することが可能となり、結果として、ケーブル６０の周囲を完全に充填剤Ｒ１で覆うことが可能となる。上記構成により、ケーブル６０と第１横溝部１００との間の空間を完全に埋めることが可能となるため、防水性をより一層高めることが可能となる。
【００５２】
また、外壁部９５の形成される防水張出部９４は、フランジ部９０のレンズ本体７１の中心から離れる側に突出する部分として形成されている。そのため、外壁部９５は、防水張出部９４が形成されていないフランジ部９０の外周よりも外側（レンズ本体７１の中心から離れる側）に形成されている。つまり、外壁部９５は、レンズ本体７１の中心に近い位置に配置される基板部材３０の実装部位３１ａに対して、より離れた位置に配置されていることになる。外壁部９５は、ケーブル６０を外部から導入する導入部としての開口部である外壁挿通溝９６が形成されており、当該外壁挿通溝９６は、外部から水が浸入する際の主要な水の侵入経路の入り口となり得る。そのため、その水の侵入経路の入り口となり得る当該外壁挿通溝９６の形成された外壁部９５を、水との接触を避けなければならない基板部材３０の実装部位３１ａからより離れた位置に配置できることにより、より防水性を高めることが可能となる。また、電気的接続部である実装部位３１ａから離れた位置にある外壁挿通溝９６でケーブル６０を固定することにより、外壁挿通溝９６よりも内側のケーブル６０の長さを確保できる。そのため、フランジ部９０の外部からケーブル６０に対して伝達される外力を、内側のケーブル６０全体で分散して吸収できるため、実装部位３１ａに対して生じる外力による負荷より小さくすることが可能となる。
【００５３】
また、第１隔壁部９７にも、上述した外壁挿通溝９６と同様の第１挿通溝９８（挿通溝に対応）が設けられている。この第１挿通溝９８にも、ケーブル６０が挿通される。このため、第１挿通溝９８は、その形状および高さが外壁挿通溝９６と同様に設けられている。したがって、第１挿通溝９８についての詳細な説明は省略する。
【００５４】
なお、後述する図７において破線で示すように、ケーブル６０の直径よりも第１挿通溝９８の上下方向（Ｚ方向）の寸法は大きく設けられている。したがって、液状の充填材Ｒ１を充填する際に、ケーブル６０と第１挿通溝９８との間の隙間からは、充填材Ｒ１が流れる流通路となっている。また、図３に示すように、第１隔壁部９７の下端面（Ｚ２側の面）と、平板部２１（張出部２２）の上面との間には、若干の隙間Ｌ４が設けられている。しかしながら、かかる隙間が存在せずに、両者が突き合わされる構成を採用しても良い。
【００５５】
なお、第１隔壁部９７および外壁部９５と平板部２１（張出部２２）との間に若干の隙間Ｌ４が設けられることにより、フランジ部９０の下面９２と当接する面を、蓋部材２０の平板部２１（張出部２２）の上面ではなく、基板部材３０の上面（Ｚ１側の面）となる。つまり、第２隔壁面１０２および内周隔壁１０５を含む下面９２と基板部材３０の上面とが突き合わされることとなる。このような構成を取ることにより、第２隔壁部１０２と内周隔壁１０５とが基板部材３０との間で強く当接するため、各隔壁部の外側からの水の侵入を防ぎ、更に、各隔壁部の間に配置されるリング溝１０４に注入される充填剤Ｒ１により、一層の防水が可能となる。
【００５６】
図７は、照明モジュール１０のうち防水張出部９４および張出部２２の幅方向（Ｙ方向）に沿う断面を示す図である。図３および図７に示すように、第１横溝部１００には、突出部２３が挿し込まれる。このとき、第１横溝部１００の下方側（開口側；Ｚ２側）は、平板部２１で蓋をされた状態となる。また、突出部２３の上端面（Ｚ１側の面）と、第１横溝部１００の溝底部１００ａ（Ｚ１側の底面）との間には、隙間Ｌ２が存在する。かかる隙間Ｌ２と上述したテーパ部２３ａの存在により、充填材Ｒ１を、平板部２１で閉じられた第１横溝部１００の全体に行き渡らせ易くなっている。また、隙間Ｌ２を形成することにより、フランジ部９０の下面９２と当接する面を、蓋部材２０の平板部２１（張出部２２）の上面ではなく、基板部材３０の上面（Ｚ１側の面）となる。つまり、第２隔壁面１０２および内周隔壁１０５を含む下面９２と基板部材３０の上面とが突き合わされることとなる。
【００５７】
ここで、図６に示すように、第１横溝部１００の内部には、外壁部９５の外側から外壁挿通溝９６を介してケーブル６０が挿通され、さらに第１隔壁部９７の第１挿通溝９８を介して後述する第２横溝部１０１にケーブル６０が挿通している。そして、図７に示すように、ケーブル６０は、外壁挿通溝９６および第１挿通溝９８の最も上端部（Ｚ１側の端部）により、上方側（Ｚ１側）の位置が位置決めされている。また、ケーブル６０は、突出部２３の凹溝部２４の最も下端部（Ｚ２側の端部）により、下方側（Ｚ２側）の位置が位置決めされている。すなわち、ケーブル６０は、Ｕ字形状の凹溝部２４と、同じくＵ字形状の外壁挿通溝９６および第１挿通溝９８によって、第１横溝部１００の上下方向（Ｚ方向）の位置決めがされ、しかも溝底部１００ａと平板部２１の上面のいずれに対してもケーブル６０が非接触の状態となっている。
【００５８】
（第２横溝部、リング溝およびその周辺構成について）
図８は、照明モジュール１０のうち第２横溝部１０１の幅方向（Ｙ方向）に沿う断面を示す図である。図６および図８に示すように、第１隔壁部９７よりもレンズ本体７１の中心側には、第２横溝部１０１が設けられている。この第２横溝部１０１は、上述した第１横溝部１００と同様に、Ｙ方向を長手とする凹状の溝部分である。しかしながら、第２横溝部１０１は、第１横溝部１００のような直方体状の溝形状ではなく、その延伸方向（Ｙ方向）の両端側が傾斜した傾斜部１０１ａを有すると共に、一対の傾斜部１０１ａの間に溝底部１０１ｂ（Ｚ１側の底面）を有している。したがって、第２横溝部１０１の断面形状は、図８に示すような台形状に設けられている。
【００５９】
なお、図３に示すように、溝底部１０１ｂの高さ方向（Ｚ方向）の位置は、溝底部１００ａと同程度の高さ位置となるように設けられている。すなわち、外壁挿通溝９６の下端面（Ｚ２側の面）からは、溝底部１００ａと溝底部１０１ｂとは同程度の高さだけ離れている。
【００６０】
図９は、照明モジュール１０のうちリング溝１０４の幅方向（Ｙ方向）に沿う断面を示す図である。図３、図６および図８に示すように、第２横溝部１０１よりもレンズ本体７１の中心側には、第２隔壁部１０２（隔壁部に対応）が設けられている。また、図３、図６および図９に示すように、第２隔壁部１０２よりもレンズ本体７１の中心側には、リング溝１０４が設けられている。第２隔壁部１０２は、第２横溝部１０１とリング溝１０４の間に位置して、これら第２横溝部１０１とリング溝１０４とを仕切る壁状の部分である。なお、第２隔壁部１０２にも、ケーブル６０を挿通させる第２挿通溝１０３（挿通溝に対応）が形成されていて、その第２挿通溝１０３は、外壁挿通溝９６および第１挿通溝９８と、長手方向（Ｘ方向）において同一直線となるように配置されている。しかしながら、第２挿通溝１０３は、外壁挿通溝９６および第１挿通溝９８に対して、同一直線となる位置から多少ずれた位置に配置されていても良い。
【００６１】
なお、外壁挿通溝９６と第１挿通溝９８と第２挿通溝１０３とを長手方向（Ｘ方向）において同一直線となるように配置することで、ケーブル６０を不用意に曲げる必要が無くなり、ケーブル６０に負荷を与えずに済む。また、ケーブル６０を曲げると、曲がった状態からまっすぐな状態へ戻ろうとする弾性力が発生し、その弾性力が周囲の充填剤Ｒ１との密着性を阻害する要因となり得る。以上により、ケーブル６０を曲げないよう、外壁挿通溝９６と第１挿通溝９８と第２挿通溝１０３とを長手方向（Ｘ方向）において同一直線となるように配置することが望ましい。
【００６２】
ここで、図３および図６に示すように、第２隔壁部１０２の溝底部１０１ｂから下端部（Ｚ２側の端部）までの寸法は、第１隔壁部９７の溝底部１０１ｂから下端側（Ｚ２側）までの寸法よりも短く設けられていて、その第２隔壁部１０２の下端部は、フランジ部９０の下面９２と面一となるように設けられている。図３に示すように、下面９２は、基板部材３０の上面に対して突き合わされた状態となっているので、第２隔壁部１０２も基板部材３０の上面に対して突き合わされた状態となっている。上記構成により、第２隔壁部１０２を基板部材３０の上面に密接させることが可能となり、第２隔壁部１０２の外側からの水の侵入を防ぐことが可能となる。
【００６３】
ここで、図８に示すように、第２挿通溝１０３の最も上端部（Ｚ１側の端部）は、上述した外壁挿通溝９６および第１挿通溝９８と同様に、第２横溝部１０１の溝底部１０１ｂにまでは到達していない。このため、溝底部１０１ｂとケーブル６０との間には、所定の隙間Ｌ３が存在するように設けられている。ただし、このような隙間Ｌ３が存在しない状態としても良い。なお、隙間Ｌ３は上述の隙間Ｌ１と同じ高さとなっているが、異なる高さとなっていても良い。なお、隙間Ｌ３を形成することにより、前述の隙間Ｌ１と同等の効果を発揮することが可能となる。
【００６４】
図６に示すように、リング溝１０４は、第２隔壁部１０２よりもレンズ本体７１側に位置すると共に、図３に示すように、筒状支持部８０とフランジ部９０の付け根の部位に位置している。このリング溝１０４は、フランジ部９０の下面９２から所定深さだけ窪んだ環状の溝となっている。かかるリング溝１０４を形成するために、リング溝１０４と筒状支持部８０の内筒部８１との間には、上述した下面９２と同一高さ（面一）の内周隔壁１０５（隔壁部に対応）が設けられている。
【００６５】
この内周隔壁１０５には、上述した外壁挿通溝９６、第１挿通溝９８、第２挿通溝１０３と同様の内周挿通溝１０６（挿通溝に対応）が設けられている。内周挿通溝１０６は、上述した外壁挿通溝９６、第１挿通溝９８および第２挿通溝１０３と、長手方向（Ｘ方向）において同一直線となるように配置されているが、同一直線となる位置から多少ずれた位置に配置されていても良い。なお、前述した外壁挿通溝９６、第１挿通溝９８および第２挿通身１０３の関係と同様に、内周挿通溝１０６についてもケーブル６０を曲げないよう、他の挿通溝と長手方向（Ｘ方向）において同一直線となるように配置することが望ましい。
【００６６】
ここで、リング溝１０４の底部のうち大部分を占める周状底部１０４ａは、ケーブル６０が挿通するような内周挿通溝１０６と面する部位ではないので、比較的浅く設けられている。すなわち、リング溝１０４においては、下面９２から周状底部１０４ａまでの高さ方向（Ｚ方向）の寸法は、下面９２から溝底部１０１ｂまでの高さ方向（Ｚ方向）の寸法よりも小さく設けられている。
【００６７】
一方、リング溝１０４のうち、内周挿通溝１０６と面する部位はケーブル６０が挿通する部分であるので、そのリング溝１０４の深さは深く設けられている。この部分の底部を奥底部１０４ｂとする。図３に示すように、奥底部１０４ｂから第２隔壁部１０２の下端部（Ｚ２側の端部）までの寸法は、上述した第２横溝部１０１の溝底部１０１ｂから第２隔壁部１０２の下端部（Ｚ２側の端部）までの寸法と同程度に設けられている。
【００６８】
また、周状底部１０４ａと奥底部１０４ｂを接続するために、これらの間には、上述した傾斜部１０１ａと同様の一対の傾斜部１０４ｃが設けられている。
【００６９】
［照明モジュールの製作について］
以上のような構成の照明モジュール１０を製作する場合、回路基板３１の実装部位３１ａに対して、端末部６１をはんだ付けする。それにより、回路基板３１とケーブル６０とを一体的に取り付け可能な状態としておく。
【００７０】
次に、光学レンズ部材７０の下面９２側が鉛直方向の上側となるように裏返した状態で、製作用の治具にセットする。このとき、内周隔壁１０５に存在する内周挿通溝１０６、および外壁部９５に存在する外壁挿通溝９６は、治具等で閉塞して、液状の充填材Ｒ１が漏れない状態とする。この状態で、液状の充填材Ｒ１を、リング溝１０４、第２横溝部１０１および第１横溝部１００に充填する。たとえば、リング溝１０４に液状の充填材Ｒ１を充填すると、そのリング溝１０４から液状の充填材Ｒ１が、第２挿通溝１０３を介して第２横溝部１０１に入り込み、さらに第１挿通溝９８を介して第１横溝部１００に入り込む。なお、内周挿通溝１０６側へ充填剤Ｒ１の一部を漏れ出させて、内周挿通溝１０６とケーブル６０との間にも充填剤Ｒ１が入り込むようにしても良い。また、ケーブル６０と基板部材３０の上面との間に多少の隙間を設け、充填剤Ｒ１がケーブル６０と基板部材３０の上面との間にも的確に充填可能なように構成しても良い。
【００７１】
上述の液状の充填材Ｒ１の後に、位置決めボス９２ａを位置決め孔３５に挿し込むようにして、回路基板３１を下面９２と突き合わせるようにする。このとき、はんだ付けによって回路基板３１と一体的に設けられているケーブル６０は、外壁挿通溝９６、第１挿通溝９８、第２挿通溝１０３、内周挿通溝１０６に入り込み、内筒部８１と照明モジュール１０の外部とに亘るように配置される。
【００７２】
次に、回路基板３１に重ねるように、放熱板４０を配置する。このとき、回路基板３１と放熱板４０との間に、液状の充填材Ｒ１が介在すると、回路基板３１と放熱板４０とが一体的に接着された基板部材３０が形成される。しかしながら、このような接着がなされない状態としても良い。
【００７３】
この放熱板４０の配置の後に、基板部材３０の外周縁部に位置するように、封止部材５０を配置する。このとき、封止部材５０は、第２横溝部１０１の下方側（Ｚ２側；図３参照）に位置する状態となる。
【００７４】
上述した封止部材５０の配置の後に、蓋部材２０を基板部材３０およびフランジ部９０の下面９２側（Ｚ２側）に重ね合わせるようにする。この重ね合わせにおいては、柱状突起部２５が弧状切欠部９１および弧状切欠部３２に位置する状態として、蓋部材２０の光学レンズ部材７０および基板部材３０に対する位置決めを行うようにする。また、このとき、突出部２３が第１横溝部１００に挿入され、突出部２３の凹溝部２４にケーブル６０が入り込む状態となる。
【００７５】
そのような重ね合わせ状態で、蓋貫通孔２６の開口にネジ１２０を挿し込み、そのネジ１２０を押し込むことで、該ネジ１２０は蓋貫通孔２６および基板貫通孔３４を貫通し、さらにネジ穴９２ｂに入り込む。この状態で、ネジ１２０を捻じ込んで、蓋部材２０を光学レンズ部材７０に対して固定する。ネジ１２０を締めることにより蓋部材２０がフランジ部９０に対して押圧される。それにより、フランジ部９０と蓋部材２０との間に配置される基板部材３０の上面とフランジ部９０の下面９２とを密着させることが可能となる。基板部材３０の上面とフランジ部９０の下面９２とが密着することで、仮に、基板貫通孔３４から基板部材３０の上面側に水が侵入しても、素子３３や基板部材３０とケーブル６０との電気接点にまで水が及ばないようにすることができる。また、必要に応じてネジ１２０と蓋貫通口２６との間に別途充填剤を注入して、ネジ１２０と蓋貫通口２６との間からの浸水を防止することも可能である。
【００７６】
そして、所定時間が経過すると、液状の充填材Ｒ１が硬化する。それにより、図１に示すような照明モジュール１０が形成される。なお、液状の充填材Ｒ１が硬化した場合、硬化後の充填材Ｒ１は、第１横溝部１００、第２横溝部１０１およびリング溝１０４に入り込んだ状態となり、さらに外壁挿通溝９６、第１挿通溝９８、第２挿通溝１０３、内周挿通溝１０６の隙間部分、および凹溝部２４の隙間部分にも入り込む。特に、硬化後の充填材Ｒ１が第１横溝部１００、第２横溝部１０１およびリング溝１０４に入り込んだ状態で硬化することで、硬化後の充填材Ｒ１は三重の防水壁を形成する状態となる。このため、防水の確実性が非常に高くなる。
【００７７】
［効果について］
以上のような構成の照明モジュール１０は、光を出射するＬＥＤ素子３３（発光素子）が実装されている基板部材３０と、レンズ本体７１を有し、ＬＥＤ素子３３（発光素子）が収納される内筒部８１（収納空間）を備えると共に、内筒部８１（収納空間）を周方向の全周に亘って囲むフランジ部９０を備える光学レンズ部材７０と、光学レンズ部材７０との間で基板部材３０を挟み込む蓋部材２０と、基板部材３０に電気的に接続されてＬＥＤ素子３３（発光素子）に電力を供給するケーブル６０と、を有している。そして、フランジ部９０には、ケーブル６０の延伸方向に交差すると共に該ケーブル６０が横切る状態で配置される少なくとも１つの凹状の横溝部（第１横溝部１００、第２横溝部１０１、リング溝１０４のうちの少なくとも１つ）が設けられている。かかる横溝部（第１横溝部１００、第２横溝部１０１およびリング溝１０４のうちの少なくとも１つ）と内筒部８１（収納空間）との間には隔壁部（第１隔壁部９７、第２隔壁部１０２および内周隔壁１０５のうちの少なくとも１つ）が設けられ、該隔壁部（第１隔壁部９７、第２隔壁部１０２および内周隔壁１０５のうちの少なくとも１つ）にはケーブル６０を挿通させる挿通溝（第１挿通溝９８、第２挿通溝１０３および内周挿通溝１０６のうちの少なくとも１つ）が設けられる。これと共に、横溝部（第１横溝部１００、第２横溝部１０１およびリング溝１０４のうちの少なくとも１つ）および挿通溝（第１挿通溝９８、第２挿通溝１０３および内周挿通溝１０６のうちの少なくとも１つ）には充填材Ｒ１が充填されると共に、横溝部（第１横溝部１００、第２横溝部１０１およびリング溝１０４のうちの少なくとも１つ）では充填材Ｒ１がケーブル６０の全周に亘って配置されている。
【００７８】
このため、横溝部（第１横溝部１００、第２横溝部１０１およびリング溝１０４のうちの少なくとも１つ）では、ケーブル６０の周方向の全周を覆うように充填材Ｒ１が設けられるので、ケーブル６０は、壁状の充填材Ｒ１を貫く状態で内筒部８１（収納空間）に向けて延伸する状態となるので、内筒部８１（収納空間）側には液体が侵入し難くなり、防水性を向上させることが可能となる。
【００７９】
また、ケーブル６０は、隔壁部（第１隔壁部９７、第２隔壁部１０２および内周隔壁１０５のうちの少なくとも１つ）に存在する挿通溝（第１挿通溝９８、第２挿通溝１０３および内周挿通溝１０６のうちの少なくとも１つ）を介して内筒部８１（収納空間）に向けて確実に延伸させることができる。加えて、ケーブル６０が挿通する挿通溝（第１挿通溝９８、第２挿通溝１０３および内周挿通溝１０６のうちの少なくとも１つ）にも、充填材Ｒ１が充填されるので、内筒部８１（収納空間）側には液体が侵入し難くなり、防水性を向上させることが可能となる。
【００８０】
さらに、ケーブル６０は、隔壁部（第１隔壁部９７、第２隔壁部１０２および内周隔壁１０５のうちの少なくとも１つ）に存在する挿通溝（第１挿通溝９８、第２挿通溝１０３および内周挿通溝１０６のうちの少なくとも１つ）を挿通するが、このような挿通溝（第１挿通溝９８、第２挿通溝１０３および内周挿通溝１０６のうちの少なくとも１つ）をケーブル６０が挿通しない場合と比較して、ケーブル６０は、フランジ部９０の内部側において、移動（揺動）し難い状態とすることができる。このため、ケーブル６０のフランジ部９０の内部側での移動（揺動）により、ケーブル６０と充填材Ｒ１との間で剥離が生じて隙間が形成され、防水性が低下するのを防止可能となる。
【００８１】
また、本実施の形態では、フランジ部９０には外壁部９５が設けられていて、この外壁部９５はフランジ部９０と外部とを隔て、かつケーブル６０を外部から挿通させる外壁挿通溝９６を有している。また、隔壁部（第１隔壁部９７）には、横溝部に対応する第１横溝部１００を挟んで外壁部９５と対向しかつ第１横溝部１００と連通すると共に挿通溝に対応する第１挿通溝９８を有する第１隔壁部９７が設けられている。また、第１挿通溝９８は、外壁挿通溝９６と共に直線状のケーブル６０の延伸方向に沿って設けられている。
【００８２】
このため、第１横溝部１００においては、ケーブル６０は、壁状の充填材Ｒ１を貫く状態で内筒部８１（収納空間）に向けて延伸する状態となるので、内筒部８１（収納空間）側には液体が侵入し難くなり、防水性を向上させることが可能となる。また、ケーブル６０は、外壁挿通溝９６と第１挿通溝９８を挿通するので、ケーブル６０はこれら２箇所の挿通溝（外壁挿通溝９６および第１挿通溝９８）により、フランジ部９０の内部側で、移動（揺動）するのを防止可能となる。したがって、ケーブル６０がフランジ部９０の内部側で一層移動（揺動）し難い状態とすることができる。それにより、ケーブル６０と充填材Ｒ１との間で剥離が生じて隙間が形成され、防水性が低下するのを一層防止可能となる。
【００８３】
また、本実施の形態では、蓋部材２０は、平板状に設けられている平板部２１と、該平板部２１の表面から突出する突出部２３とを有すると共に、突出部２３にはケーブル６０を挿通させる凹溝部２４が設けられている。これと共に、凹溝部２４は外壁挿通溝９６および第１挿通溝９８と共に直線状のケーブル６０の延伸方向に沿って設けられていて、突出部２３は凹溝部２４にケーブル６０が入り込んだ状態で第１横溝部１００に挿入され、凹溝部２４は充填材が入り込む。
【００８４】
このため、第１横溝部１００においては、突出部２３が挿入されるので、図３に示すように、第１横溝部１００内では、ラビリンス状の経路が形成され、そのラビリンス状の経路に充填材Ｒ１が充填されるので、防水性を一層高めることが可能となる。また、ケーブル６０は、外壁挿通溝９６および第１挿通溝９８とは反対側から凹溝部２４に挿入される状態となるので、ケーブル６０は上下方向（Ｚ方向）の両方側から挟み込まれる状態となり、ケーブル６０がフランジ部９０の内部側で一層移動（揺動）し難い状態となる。したがって、ケーブル６０と充填材Ｒ１との間で剥離が生じて隙間が形成され、防水性が低下するのを一層確実に防止可能となる。
【００８５】
また、本実施の形態では、フランジ部９０には、内筒部８１（収納空間）と内周隔壁１０５を隔てて凹形状であると共に内筒部８１（収納空間）を環状に囲むリング溝１０４が設けられている。また、内周隔壁１０５には、ケーブル６０を挿通させると共に内筒部８１（収納空間）と連通する内周挿通溝１０６が設けられていて、内周挿通溝１０６は、外壁挿通溝９６、凹溝部２４および第１挿通溝９８と共に直線状のケーブル６０ルの延伸方向に沿って設けられていて、リング溝１０４および内周挿通溝１０６には、充填材Ｒ１が充填される。なお、外壁部９５、第１隔壁部９７および周辺突出部９３は、基板部材３０の上面よりも下側（Ｚ２側）に延びている。また、突出部２３は、基板部材３０の上面より上側（Ｚ１側）に延びている。このように構成することで、外壁部９５、第１隔壁部９７、周辺突出部９３および突出部２３の先端が基板部材３０の上面と同一面にある場合に比べて、基板部材３０防水性を一層高めることが可能となる。
【００８６】
かかる環状のリング溝１０４に充填材Ｒ１が充填されることにより、ケーブル６０が挿通する部位以外でも、水等の液体が内筒部８１（収納空間）に侵入するのを防止可能となる。また、水等の液体が侵入し易いケーブル６０の挿通部位では、リング溝１０４が存在して、そのリング溝１０４に充填材Ｒ１が充填されることで、防水性を一層高めることが可能となる。また、ケーブル６０は、内周挿通溝１０６に挿入されることにより、ケーブル６０はフランジ部９０の内部側で一層移動（揺動）し難い状態となる。それにより、ケーブル６０と充填材Ｒ１との間で剥離が生じて隙間が形成され、防水性が低下するのを一層確実に防止可能となる。
【００８７】
また、本実施の形態では、図３に示すように、外壁部９５および第１隔壁部９７は、内周隔壁１０５よりも突出して設けられている。このため、外壁部９５と第１隔壁部９７とで囲まれた第１横溝部１００の深さは、リング溝１０４の深さよりも深くなり、第１横溝部１００における充填材Ｒ１の充填量を多くすることが可能となる。それにより、第１横溝部１００における防水性を向上させることが可能となる。
【００８８】
また、本実施の形態では、第１横溝部１００とリング溝１０４の間には、ケーブル６０の延伸方向に交差すると共に該ケーブル６０が横切る状態で配置される凹状の第２横溝部１０１が設けられ、第２横溝部１０１とリング溝１０４との間には隔壁部に対応する第２隔壁部１０２が設けられている。また、第２隔壁部１０２にはケーブル６０を挿通させる第２挿通溝１０３が設けられると共に、第２挿通溝１０３は、外壁挿通溝９６、凹溝部２４、第１挿通溝９８および内周挿通溝１０６と共に直線状のケーブル６０の延伸方向に沿って設けられていて、第２横溝部１０１および第２挿通溝１０３および第２挿通溝１０３には充填材Ｒ１が充填される。
【００８９】
このため、第２横溝部１０１においても、ケーブル６０は、壁状の充填材Ｒ１を貫く状態で内筒部８１（収納空間）に向けて延伸する状態となるので、外壁部９５側から内筒部８１（収納空間）側に向かうと、第１横溝部１００に充填された壁状の充填材Ｒ１、第２横溝部１０１に充填された壁状の充填材Ｒ１、およびリング溝１０４に充填された壁状の充填材Ｒ１という、三重の壁状の充填材Ｒ１が存在する。このため、内筒部８１（収納空間）側には液体が一層侵入し難くなり、防水性を一層向上させることが可能となる。
【００９０】
また、ケーブル６０は、第２挿通溝１０３にも挿通されるので、ケーブル６０は、外壁挿通溝９６、凹溝部２４、第１挿通溝９８および内周挿通溝１０６と共に合計５箇所の溝部分で支持される。したがって、フランジ部９０の内部側でケーブル６０が移動（揺動）するのを一層確実に防止可能となる。したがって、ケーブル６０がフランジ部９０の内部側で一層移動（揺動）し難い状態とすることができる。それにより、ケーブル６０と充填材Ｒ１との間で剥離が生じて隙間が形成され、防水性が低下するのを一層防止可能となる。
【００９１】
また、本実施の形態では、第２横溝部１０１には、その両端側に向かうにつれて深さが徐々に浅くなる傾斜部１０１ａ（図６、図８参照）が設けられている。かかる傾斜部１０１ａの存在により、ケーブル６０から離れた部位での充填材Ｒ１の充填量を低減することが可能となる。また、第２横溝部１０１に充填された充填材Ｒ１と、傾斜部１０１ａとの間に隙間が生じた場合には、傾斜部１０１ａは光を反射する等、光学的な変化を生じさせることができる。したがって、充填材Ｒ１の充填が十分か否かの目視検査等において、不十分な充填量の充填材Ｒ１を発見し易くなる。なお、第１横溝部１００の両端側に、端部に向かうにつれて深さが徐々に浅くなる傾斜部を設けてもよい。
【００９２】
また、本実施の形態では、第１挿通溝９８および第２挿通溝１０３の最大深さは、第１横溝部１００および第２横溝部１０１の最大深さよりも浅く設けられている。このため、第１挿通溝９８および第２挿通溝１０３をケーブル６０が挿通する場合に、第１横溝部１００の底部（溝底部１００ａ）および第２横溝部１０１の底部（溝底部１０１ｂ）とケーブル６０の間に隙間を形成することができる。そのため、上記の隙間に充填材Ｒ１を充填させることができるので、第１横溝部１００および第２横溝部１０１の内部では、ケーブル６０の周囲を充填材Ｒ１で覆うことができる。したがって、内筒部８１（収納空間）側には、ケーブル６０に沿って水等の液体が一層侵入し難くなり、防水性を一層向上させることが可能となる。
【００９３】
また、本実施の形態では、基板部材３０の外周縁部には、弾性を有する樹脂を材質とする封止部材５０が取り付けられていて、封止部材５０の厚みは基板部材３０の厚みよりも厚く設けられている。
【００９４】
このように、基板部材３０の厚みよりも厚い封止部材５０の存在により、ケーブル６０が挿通する部位以外でも、水等の液体が内筒部８１（収納空間）に侵入するのを一層確実に防止可能となる。
【００９５】
また、本実施の形態では、基板部材３０のうち封止部材５０の内周側かつリング溝１０４の外周側に対応する部位には、基板部材３０を貫く基板貫通孔３４が設けられていて、光学レンズ部材７０と蓋部材２０とは、これらを貫くネジ１２０（締結手段）によって締結されると共に、ネジ１２０（締結手段）は基板貫通孔３４に挿通されている。
【００９６】
このため、ネジ１２０（締結手段）は、リング溝１０４よりも外周側において基板貫通孔３４に挿通された状態で、蓋部材２０と光学レンズ部材７０とを締結している。このため、仮に蓋部材２０側からネジ１２０（締結手段）を介して水等の液体が侵入しようとしても、リング溝１０４に充填された充填材Ｒ１により、内筒部８１（収納空間）側への水等の液体の侵入を確実に防止することができる。
【００９７】
［変形例］
以上、本発明の一実施の形態について説明したが、本発明はこれ以外にも種々変形可能となっている。以下、それについて述べる。
【００９８】
上述の実施の形態においては、光学レンズ部材７０は、筒状支持部８０を有する構成としている。しかしながら、光学レンズ部材は筒状支持部を備えない構成を採用しても良い。たとえば、図３において、レンズ本体７１を大型化して大きな凹部７３を備えると共に、頂部７２の周囲からフランジ部９０が外周側に延出する構成を採用しても良い。
【００９９】
また、上述の実施の形態では、単独の照明モジュール１０について説明している。しかしながら、ケーブル６０を介して複数の照明モジュール１０を連結し、これら複数の照明モジュール１０が点灯可能な照明装置としても良い。なお、かかる照明装置においては、全ての照明モジュールが、本発明に係る照明モジュールであっても良いが、少なくとも１つの照明モジュールが本発明に係る照明モジュールであれば良い。
【０１００】
また、上述の実施の形態では、第１横溝部１００、第２横溝部１０１およびリング溝１０４といった三重の横溝部を備える構成について説明している。しかしながら、これらのうち少なくとも１つの横溝部を備える構成としても良い。
【０１０１】
また、上述の実施の形態では、ケーブル６０は、合計４本図示されているが、たとえば同軸ケーブル等のように１本のみのケーブルが存在する構成でも良い。すなわち、ケーブルの本数が１本以上であれば、いずれの本数であっても、本発明を適用可能である。
【０１０２】
また、上述の実施の形態とは異なり、外壁部９５および第１隔壁部９７の高さは、平板部２１の上面と面一としても良い。この場合には、外壁部９５および第１隔壁部９７の高さは、第２隔壁部１０２および内周隔壁１０５の高さと同一となる。
【０１０３】
また、上述の実施の形態とは異なり、張出部２２を、平板部２１よりも全体的に突出させる構成を採用しても良い。この場合には、張出部２２が全体的に突出する分だけ、第１隔壁部９７および第２隔壁部１０２の高さを低減することができるものの、横溝部の深さは、図３に示すものと同様の深さとすることができる。
【０１０４】
また、上述の実施の形態では、ケーブル６０の延伸方向はＸ方向に沿っているが、該ケーブル６０の延伸方向は、Ｙ方向と交差する方向であれば、Ｘ方向から多少ずれた方向であっても良い。この場合には、ケーブル６０の延伸方向に対応させて、外壁挿通溝９６、凹溝部２４、第１挿通溝９８、第２挿通溝１０３内周挿通溝１０６の配置および貫通方向を、Ｘ方向からずれた方向となるように変更することができる。
【符号の説明】
【０１０５】
１０…照明モジュール、２０…蓋部材、２１…平板部、２２…張出部、２３…突出部、２３ａ…テーパ部、２４…凹溝部、２５…柱状突起部、２６…蓋貫通孔、３０…基板部材、３１…回路基板、３１ａ…実装部位、３２…弧状切欠部、３３…ＬＥＤ素子（発光素子に対応）、３４…基板貫通孔、３５…位置決め孔、４０…放熱板、４１…弧状切欠部、５０…封止部材、６０…ケーブル、６１…端末部、７０…光学レンズ部材、７２…頂部、７３…凹部、７４…入射面、７５…内周側面、７６…出射面、８０…筒状支持部、８１…内筒部、９０…フランジ部、９１…弧状切欠部、９２…下面、９２ａ…位置決めボス、９２ｂ…ネジ穴、９３…周縁突出部、９４…防水張出部、９５…外壁部、９６…外壁挿通溝、９７…第１隔壁部（隔壁部に対応）、９８…第１挿通溝（挿通溝に対応）、９９…連結壁部、１００…第１横溝部（横溝部に対応）、１００ａ…溝底部、１０１…第２横溝部（横溝部に対応）、１０１ａ…傾斜部、１０１ｂ…溝底部、１０２…第２隔壁部（隔壁部に対応）、１０３…第２挿通溝（挿通溝に対応）、１０４…リング溝（横溝部に対応）、１０４ａ…周状底部、１０４ｂ…奥底部、傾斜部１０４ｃ、１０５…内周隔壁（隔壁部に対応）、１０６…内周挿通溝（挿通溝に対応）、１２０…ネジ（締結手段に対応）、Ｒ１…充填材
【図１】
2019121497.tif 000003
【図２】
2019121497.tif 000004
【図３】
2019121497.tif 000005
【図４】
2019121497.tif 000006
【図５】
2019121497.tif 000007
【図６】
2019121497.tif 000008
【図７】
2019121497.tif 000009
【図８】
2019121497.tif 000010
【図９】
2019121497.tif 000011